(57)【要約】【課題】  据え置き型テレビジョン受信機及びポータブルテレビジョン受信機によって地上デジタルテレビジョン放送信号を良好に受信する。【解決手段】  室内２の壁４ａ、４ｂの床６付近に出力端子８ａ、８ｂが設けられ、これらには地上デジタルテレビジョン放送信号が供給されている。室内２の壁４ａ、４ｂの天井１０付近に再送信端子１４ａ、１４ｂが設けられ、これには地上デジタルテレビジョン放送信号が供給されている。再送信端子１４ａ、１４ｂには地上デジタルテレビジョン放送信号の再送信アンテナ１６ａ、１６ｂが接続されている。【選択図】        図１
2008124863.tif 000002
【特許請求の範囲】
【請求項１】
部屋の壁の床付近に設けられ、地上デジタルテレビジョン放送信号が供給されている出力端子と、
前記部屋の壁の天井付近または天井に設けられ、前記地上デジタルテレビジョン放送信号が供給され、地上デジタルテレビジョン放送信号の再送信手段が接続可能な再送信端子と、
前記出力端子及び前記再送信端子とに前記地上デジタルテレビジョン放送信号を伝送する伝送路とを、
具備する室内テレビジョン信号受信システム。
【請求項２】
請求項１記載の室内テレビジョン信号受信システムにおいて、前記再送信端子が複数設けられ、前記各再送信端子は、前記部屋の壁の天井付近の異なる位置または天井の異なる位置に設けられている室内テレビジョン信号受信システム。
【請求項３】
請求項１または２記載の室内テレビジョン信号受信システムにおいて、前記出力端子にはテレビジョン受信機が接続される室内テレビジョン信号受信システム。
【請求項４】
請求項１乃至３いずれか記載の室内テレビジョン信号受信システムにおいて、前記出力端子には再送信手段が接続される室内テレビジョン信号受信システム。
【発明の詳細な説明】
【技術分野】
【０００１】
本発明は、室内においてテレビジョン信号を受信するためのシステムに関し、特に地上デジタルテレビジョン放送信号を受信するためのものに関する。
【背景技術】
【０００２】
従来、室内において地上デジタル放送信号を受信するシステムとしては、例えば特許文献１に開示されているものがある。特許文献１の技術によれば、建物の室内の壁面にテレビ端子が設けられ、このテレビ端子には地上デジタル放送信号がケーブルを介して供給されている。室内には、地上デジタル放送信号の再送信装置が配置され、この再送信装置がテレビ端子に接続され、地上デジタル放送信号が再送信装置から再送信される。
【０００３】
【特許文献１】特開２００４−１２８７１９号公報
【発明の開示】
【発明が解決しようとする課題】
【０００４】
特許文献１の技術によれば、受信アンテナを備えた地上デジタル放送受信用のテレビジョン受信機、例えばワンセグ用ポータブルテレビジョン受信機が室内に配置されていると、地上デジタルテレビジョン放送のうちワンセグ放送を受信することが可能である。しかし、この構成では、アンテナ接続端子のみを備えているが、アンテナを備えていない地上デジタルテレビジョン放送受信用のテレビジョン受信機を使用することができない。また、特許文献１には、テレビ端子が壁のどのような位置に設置されているかについての具体的な記載は無いが、通常、テレビ端子は室内の壁の床面に近い位置に設置されることが多い。その場合、室内で人が移動すると、その移動した人が、再送信装置から送信された電波を遮断しやすく、ワンセグ用ポータブルテレビジョン受信機によって良好に受信できない可能性が高くなる。
【０００５】
本発明は、アンテナを備えていない通常のテレビジョン受信機によって地上デジタルテレビジョン放送信号を受信することが可能であり、かつポータブルテレビジョン受信機によっても地上デジタルテレビジョン放送信号を良好に受信することができる室内テレビジョン放送信号受信システムを提供することを目的とする。
【課題を解決するための手段】
【０００６】
本発明の一態様の室内テレビジョン受信システムでは、部屋の壁の床付近に出力端子が設けられている。この出力端子には、地上デジタルテレビジョン放送信号が供給されている。前記部屋の壁の天井付近に再送信端子が設けられている。この再送信端子にも、前記地上デジタルテレビジョン放送信号が供給されている。この再送信端子には、地上デジタルテレビジョン放送信号の再送信手段が接続可能である。出力端子と再送信端子とは、同一の壁の天井付近と床付近に設けることもできる。或いは異なる２つの壁のうち一方の壁の床付近に出力端子を設け、他方の壁の天井付近に再送信端子を設けることもできる。再送信手段は、地上デジタルテレビジョン放送信号を送信可能なアンテナを有するもので、このアンテナ単独とすることもできるし、このアンテナと、地上デジタルテレビジョン放送信号を増幅するための増幅手段とを備えたものとすることもできる。出力端子及び再送信端子とに地上デジタルテレビジョン放送信号が伝送路を介して供給される。この伝送路中に、地上デジタルテレビジョン放送信号を増幅する増幅手段を設けることもできるし、この増幅手段の出力信号を分岐または分配して、出力端子及び再送信端子に地上デジタルテレビジョン放送信号を供給することもできる。
【０００７】
このように構成された室内テレビジョン信号受信システムでは、出力端子にアンテナを備えていないテレビジョン受信機、例えば地上デジタル放送受信可能な据え置き型のテレビジョン受信機を接続することによって、地上デジタルテレビジョン放送を受信することができる。また、再送信端子に再送信アンテナを接続することによって、室内で人が移動しても、移動する人による電波の遮断が生じにくく、良好に地上デジタル放送信号をポータブル型テレビジョン受信機で受信することができる。なお、人が移動してもポータブル型テレビジョン受信機での地上デジタルテレビジョン放送信号の受信に障害が生じない場合には、床付近にある出力端子に再送信装置を接続することも可能である。
【０００８】
更に、再送信端子を複数設けることもできる。各再送信端子は、部屋の壁の天井付近の異なる位置または天井の異なる位置に設けられる。
【０００９】
このように構成すると、室内の天井付近の異なる位置に、それぞれ再送信手段を設置可能であるので、室内で人がどのように移動してもポータブル型テレビジョン受信機には、いずれかの再送信手段から再送信された地上デジタルテレビジョン放送信号が受信可能となり、更に良好に地上デジタル放送を受信可能となる。
【発明の効果】
【００１０】
以上のように、本発明による室内テレビジョン放送信号受信システムでは、通常のテレビジョン受信機によって地上デジタルテレビジョン放送信号を受信することが可能である上に、ポータブルテレビジョン受信機によっても地上デジタルテレビジョン放送信号を良好に受信することができる。
【発明を実施するための最良の形態】
【００１１】
本発明の一実施形態の室内テレビジョン放送信号受信システムは、図１に示すように、家屋の室内２に配置されている。この室内２は、複数、例えば４つの側壁を備え、そのうちの隣接している２つの壁４ａ、４ｂにおける床６に近い位置に、出力端子８ａ、８ｂが設けられている。これら出力端子８ａ、８ｂは、同軸ケーブルに接続されるコネクタに接続可能な壁面取付用端子である。これら出力端子８ａ、８ｂは、上述した同軸ケーブルを介して図２に示すように据え置き型のテレビジョン受信機１２ａ、１２ｂに接続される。このテレビジョン受信機１２ａ、１２ｂは、地上デジタルテレビジョン放送を受信可能なものである。
【００１２】
壁４ａ、４ｂの天井１０に近い位置に、再送信端子１４ａ、１４ｂが設けられている。これら再送信端子１４ａ、１４ｂも、同軸ケーブルに接続されたコネクタに接続可能な壁面取付用端子である。但し、再送信端子１４ａ、１４ｂには、ケーブルではなくコネクタを介して再送信手段、例えば再送信アンテナ１６ａ、１６ｂが接続される。これら再送信アンテナ１６ａ、１６ｂは、地上デジタルテレビジョン放送信号を再送信することが可能なものである。この再送信された地上デジタル放送信号は、アンテナを備えたポータブル型の地上デジタル放送受信機によって受信可能である。
【００１３】
図２に示すように、これら出力端子８ａ、８ｂ、再送信端子１４ａ、１４ｂには、分配手段、例えば４分配器１８の分配出力が供給されている。この４分配器１８には、増幅手段、例えば増幅器２０によって増幅された地上デジタルテレビジョン放送信号が供給されている。従って、各出力端子８ａ、８ｂ、再送信端子１４ａ、１４ｂには、地上デジタルテレビジョン放送信号が供給される。なお、４分配器１８の分配出力は、壁４ａ、４ｂ内に敷設された伝送路、例えばケーブルによって出力端子８ａ、８ｂ、再送信端子１４ａ、１４ｂに供給されている。
【００１４】
このように構成された室内テレビジョン放送信号受信システムでは、出力端子８ａ、８ｂに据え置き型のテレビジョン受信機１２ａ、１２ｂを接続することによって地上デジタルテレビジョン放送をテレビジョン受信機１２ａ、１２ｂによって受信することができる。更に、再送信アンテナ１６ａ、１６ｂを再送信端子１４ａ、１４ｂに接続することによって、複数の箇所から地上デジタルテレビジョン放送信号が室内２に再送信される。特に、再送信端子１４ａ、１４ｂが天井１０に近い位置に設置されているので、室内２内にいる人の背よりも高い位置から地上デジタル放送信号は再送信される。従って、室内にいる人によって地上デジタル放送の電波が遮断されにくく、受信アンテナを備えたポータブル型テレビジョン受信機によって受信される可能性が高い。その上、天井付近の再送信アンテナ１６ａ、１６ｂは、複数設けられ、しかも異なる位置に設置されているので、ポータブル型テレビジョン受信機を室内２のいずれの位置に配置しても、ポータブル型テレビジョン受信機は、再送信アンテナ１６ａ、１６ｂのいずれかが再送信した地上デジタル放送を受信することができ、さらに良好に地上デジタル放送を受信できる。その上、室内２にいる人が移動して、いずれかの再送信アンテナから再送信している地上デジタル放送信号を遮断しても、他の再送信アンテナから再送信している地上デジタル放送信号をポータブル型テレビジョン受信機が受信する可能性が高いので、良好にポータブル型テレビジョン受信機によって地上デジタル放送を受信できる。
【００１５】
なお、再送信アンテナ１６ａ、１６ｂとしては、図３（ａ）に示すようなモノポールアンテナ２２や、同図（ｂ）、（ｃ）に示すように水平偏波または垂直偏波受信用に水平または垂直に配置したダイポールアンテナ２４を使用することができる。これらアンテナ２２，２４は、再送信端子１４ａ、１４ｂに接続するためのコネクタ２６を備えている。
【００１６】
なお、出力端子８ａ、８ｂに再送信アンテナ１６ａ、１６ｂを接続することも可能である。これは、再送信アンテナ１６ａ、１６ｂとポータブル型テレビジョン受信機との間を人が通過することがなく、この間で電波が人によって遮断されることが無い場合に適している。或いは、再送信端子１４ａ、１４ｂの他にも出力端子８ａ、８ｂにも再送信アンテナを接続することによって、より多角的に地上デジタル放送信号を再送信することができ、良好にポータブル型テレビジョン受信機で地上デジタル放送を受信することが可能となる。
【００１７】
上記の実施の形態では、２つの出力端子８ａ、８ｂを設けたが、最低限度１つだけ出力端子を設ければよいし、逆に３つ以上の出力端子を設けることもできる。同様に、再送信端子も最低限度１つだけ設ければよいし、逆に３つ以上設けることもできる。この場合でも、各再送信端子は、異なった位置に設ける。また、上記の実施の形態では、再送信端子は壁４ａ、４ｂの天井１０付近に設けたが、天井１０に設けることもできる。天井１０に設ける場合でも、再送信端子は最低限度１つだけ設ければよく、異なる複数の位置に再送信端子をそれぞれ設けることもできる。
【００１８】
また、上記の実施形態では、再送信アンテナとしてモノポールアンテナまたはダイポールアンテナを使用したが、これに限ったものではなく、例えばループアンテナや八木形アンテナを使用することもできる。また、再送信端子から供給された地上デジタル放送信号を増幅する増幅器と、この増幅器からの出力信号が供給されるアンテナとを備えた再送信装置を、再送信アンテナ１６ａ、１６ｂに代えて使用することもできる。また、再送信された地上デジタル放送信号を受信するためにポータブル型テレビジョン受信機を使用したが、これに限ったものではなく、例えばワンセグ放送受信用のチューナを備えた携帯電話器やノート型パーソナルコンピュータ等を使用することもできる。また、上記の実施形態では、４分配器を使用したが、場合によっては分岐器を使用することもできる。
【図面の簡単な説明】
【００１９】
【図１】本発明の１実施形態の室内テレビジョン放送信号受信システムにおける端子の配置を示す図である。
【図２】図１の室内テレビジョン放送信号受信システムのブロックダイアグラムである。
【図３】図１の室内テレビジョン受信システムに使用する様々なアンテナを示す図である。
【符号の説明】
【００２０】
４ａ、４ｂ  壁
６  床
８ａ  ８ｂ  出力端子
１０  天井
１４ａ、１４ｂ  再送信端末
１６ａ  １６ｂ  再送信アンテナ（再送信手段）
【図１】
2008124863.tif 000003
【図２】
2008124863.tif 000004
【図３】
2008124863.tif 000005